(57)【要約】潜水ヘルメット（１０）の泡そらし装置は、前スカート部（２４）及び一端で前スカート部（２４）と取着した後スカート部（２５）から構成される。後スカート部（２５）は潜水ヘルメットの呼吸用レギュレータ部品に取り付けるのに適した形である。取着した前後両スカート部（２４、２５）はサイドポケット（４６、４８）を形成し、そのサイドポケット（４６、４８）は、後スカート部（２５）がレギュレータ部品に取り付けられると、ダイバーのマスクから排出空気泡をそらす。取り付けられた後スカート部（２５）は、潜水ヘルメット（１０）と呼吸用レギュレータ部品（１２）の排気ウィスカーとの間に、ウィスカー（１０）から出る泡が潜水活動中潜水ヘルメット（１０）に接触するようになることを防ぐ防護壁を形成する。【選択図】図５
2009508736.tif 000002
【特許請求の範囲】
【請求項１】
呼吸用レギュレータ部品とビューイングレンズを有する潜水者マスクを含む潜水装備とともに使用される泡そらし装置であって、
前スカート部と、
一端にて前記前スカート部に取り付けられ、かつ呼吸用レギュレータ部品に取り付けるのに適合した後スカート部とを有し、
前記後スカート部が呼吸用レギュレータ部品に取り付けられたとき、前記前後両スカート部が、潜水活動中ダイバーのビューイングレンズから排出空気泡をそらすのに適した少なくとも１つのサイドポケットを形成し、
前記後スカート部が、呼吸用レギュレータ部品から出る空気泡が潜水器具と接触することを防ぐのに適合した防護壁を形成することを特徴とする泡そらし装置。
【請求項２】
前記前スカート部が、概ね、曲線状の上端を含むことを特徴とする請求項１に記載の泡そらし装置。
【請求項３】
前記後スカート部が、概ね、前記前スカート部の前記上端の輪郭に沿った上端を含むことを特徴とする請求項２記載の泡そらし装置。
【請求項４】
前記前後両スカート部の両上端が、折り目を形成するように互いに取着され、前記前スカート部は前記後スカート部に対して前記折り目に沿って折りたたまれたようにすることを特徴とする請求項３記載の泡そらし装置。
【請求項５】
前記前後両スカート部の前記両上端が、互いに接着剤によって取着されることを特徴とする請求項４記載の泡そらし装置。
【請求項６】
前記前後両スカート部の前記両上端が、互いに縫い合わされることを特徴とする請求項４記載の泡そらし装置。
【請求項７】
前記前後両スカート部の前記両上端が、一体成形されることを特徴とする請求項４記載の泡そらし装置。
【請求項８】
前記前後両スカート部の前記両上端が、互いに取り外せるようにベルクロ（登録商標）片で取着されることを特徴とする請求項４記載の泡そらし装置。
【請求項９】
前記前スカート部が、さらに、浮力を減らすための少なくとも１つの重りを取り付けるのに適合した少なくとも１つの孔を含むことを特徴とする請求項２記載の泡そらし装置
【請求項１０】
前記後スカート部が、さらに、呼吸用レギュレータ部品を取り付けるために適するように構成された少なくとも１つの孔を含むことを特徴とする請求項３記載の泡そらし装置
【請求項１１】
前記前後両スカート部が、概ね鳥のような形状を持つことを特徴とする請求項１記載の泡そらし装置
【請求項１２】
前記前後両スカート部が、それぞれ、フレキシブルな材料で作られることを特徴とする請求項１記載の泡そらし装置
【請求項１３】
前記前後両スカート部が、フレキシブル及び高剛性な材料の両者で作られることを特徴とする請求項１記載の泡そらし装置
【請求項１４】
前記フレキシブルな材料は、ゴム、ネオプレン（登録商標）、シリコン、ウレタン、布及びそれらの組み合わせから構成されるグループから選択されることを特徴とする請求項１２記載の泡そらし装置
【請求項１５】
前記防護壁が、潜水活動中泡によるノイズを除去することを特徴とする請求項１記載の泡そらし装置
【請求項１６】
前記少なくとも１つのサイドポケットによって、排出された空気泡をわきへ向け、ダイバーの視界が潜水活動中阻害されることを防ぐことを特徴とする請求項１記載の泡そらし装置
【請求項１７】
前記取着され取り付けられた前後両スカート部が、潜水活動中呼吸用レギュレータ部品を利用できるように適切に構成されることを特徴とする請求項１記載の泡そらし装置
【請求項１８】
前記前後両スカート部が、潜水ヘルメットとの使用に適するように構成されること特徴とする請求項１記載の泡そらし装置
【請求項１９】
前記前後両スカート部が、フルフェイスマスク（FFM）の潜水器具との使用に適するように構成されること特徴とする請求項１記載の泡そらし装置
【請求項２０】
前記前後両スカート部が、スキューバ（自給式水中呼吸装置）の潜水器具との使用に適するように構成されること特徴とする請求項１記載の泡そらし装置
【請求項２１】
前記前スカート部が、概ね薄くて透明なフレキシブルな材料で作られることを特徴とする請求項１記載の泡そらし装置
【請求項２２】
前記後スカート部が、概ね薄くて透明なフレキシブルな材料で作られることを特徴とする請求項１記載の泡そらし装置
【発明の詳細な説明】
【技術分野】
【０００１】
本発明は、一般的に潜水装具、特に潜水装具と共に使う泡そらし装置に関する。
【背景技術】
【０００２】
典型的な潜水装具は、通常、使用者の目と鼻を覆う潜水マスクと呼吸用レギュレータ部品を含む。呼吸用レギュレータ部品はマウスピースを含み、そのマウスピースは携帯用エアタンクにつながるホースと接続している。潜水装具は、FFMs（フルフェイスマスク）、潜水ヘルメット、スキューバ（自給式水中呼吸装置）及び／又は同種の物を含む様々な形状になる。
【０００３】
従来の潜水装具に現存する問題は、水面下の呼吸により、ダイバーの視界とコミュニケーション活動を阻害する空気泡及びそれに付随するノイズを発生させることである。ダイバーが、呼吸用レギュレータに取り付けられたゴム製の一方向にのみ空気を通す弁を通して吐き出すときに、ほとんどの空気泡は排出される。排出された空気泡は、ダイバーの顔と頭の前や周りを通る傾向があり、目の前にたどり着き、及び／または、直接的に若しくはFFMマスクのフレームやヘルメットの帽体の外側から、ダイバーの頬、耳、及びこめかみの辺りを通り過ぎ、ダイバーの視界及びダイバーの音による活動を含んだコミュニケーション活動を阻害する。
【０００４】
ダイバーが水中で頭を水面に向けた状態で、前や上を見ている時は、空気泡は通常ダイバーの顔、マスクのフレーム、またはヘルメットの帽体に沿って上昇するので、このことは特に顕著となる。結局、ダイバーは排出する空気泡をダイビング体験の一部として受け入れるようになる。空気泡による障害を避けるために、頭を下に向けたり片側に傾けたりする体勢をとったり、潜水中のコミュニケーション中、聞こうとするときに息を止める人もいる。不便であることからは避けられるが、この体勢はいつでも可能というわけではなく、特にダイバーが上昇し、彼らの上方にある物体と衝突しないことを確認するために見上げなければならないとき可能ではない。
【発明の開示】
【課題を解決するための手段】
【０００５】
ここに開示される好適実施例は、潜水装具と共に使用する泡そらし装置に向けられる。その潜水装具は、その一部に呼吸用レギュレータ部品とダイバーのマスクを含む。
【０００６】
発明の１つの側面によると、その泡そらし装置は前スカート部と後スカート部から構成される。後スカート部は、一端で前スカート部と取着し、呼吸用レギュレータ部品に取り付けられるように適合される。後スカート部が呼吸用レギュレータ部品に取り付けられたとき、取着した前後両スカート部は、排出された空気泡を潜水活動中のダイバーのマスクからそらすためのサイドポケットを少なくとも１つ形成する。取り付けられた後スカート部は、呼吸用レギュレータ部品にある空気泡が潜水装具と接触するようになることを防ぐのに適した防護壁を形成する。
【０００７】
発明の本側面及び他の側面は、添付図面及びそれに続く発明の詳細な説明のレビューから明らかになるだろう。
【発明を実施するための最良の形態】
【０００８】
本発明は、次の添付図面を参照することにより概ね示される。
【０００９】
添付図面と関連して以下に示された詳細な説明は、好適実施例の説明を意図しており、その好適実施例がその形式によってのみ製造されること及び／又は利用されることを表現することを意図するものではない。この説明は、図示された実施例と関連して好適実施例を製造し、使用するための段階の作用及び効果を明らかにする。しかしながら、同一又は等しい作用及び効果は異なる実施例によっても達成されるということが理解されるが、それらもまた本発明の精神及び範囲に包含されることを意図している。
【００１０】
本発明のいくつかの実施例は、概ね図３〜図６を参照して、潜水ヘルメット泡そらし装置と関連して詳細に記述される。本発明の追加の実施例、特徴、及び／又は利点の全部またはその一つは、続く説明から明らかになるか、発明の実施によってわかるだろう。図面において、図は同一尺度ではなく、図と説明との両方を通して類似の特徴に対応している。
【００１１】
図１は従来の潜水ヘルメット１０の側面図であり、呼吸用レギュレータ取付管１４及び空気供給管１６（図１〜２）との間に効果的に結合された呼吸用レギュレータ呼吸用レギュレータ部品１２を備えている。呼吸用レギュレータ部品１２はその一部に、空気開放又はパージボタン１８（図１〜２）、呼吸用レギュレータ調整ノブ１９（図２）及び排気ウィスカー２０（図１〜２）を含んでいる。ウィスカー２０は排出される空気を泡として出口２２（図１）から排出する。排出される空気泡は上方、すなわち水面５０（図５〜６）に移動する傾向にあり、概してダイバーの視界を妨げる。もしダイバーがわずかに下を見ると、排出された空気泡は潜水ヘルメット１０の横に沿って移動する傾向にあり、潜水ヘルメットの中に聞こえる雑音を発生させ、他のダイバー及び／又は水上の補助者とコミュニケーションをとる際にダイバーの注意をそらす。
【００１２】
図３は、本発明の好適実施例にしたがった潜水ヘルメット泡反らせ板２６の一般的に鳥のような形状の前スカート部２４の平面図である。前スカート部２４には、一端に重りを取り付けるための一対の孔２８、３０が設けられており、それによりスカートの底部が、浮力及び／又は排出された泡の流れのため上がることや、ダイバーが前を向いているときや顔を上げているときのような潜水活動中にダイバーの視界を遮ることを防いでいる。この観点から、図６は潜水活動中のスカートの浮力を減らし適切な位置を維持するために、本発明にしたがって前重り３２を取り付けたものを示している
【００１３】
前スカート部２４は、ゴム、ネオプレン（登録商標）、シリコン、ウレタン、布及び／又はその他同種の物のようなフレキシブルな材料で作ることができる。前スカート部２４は、また、必要に応じて、高剛性な材料とフレキシブルな材料の組み合わせから作ることができる。一つの実施例として、前スカート部２４は比較的薄くかつ透明でフレキシブルな材料で作ることができる。前スカート部２４は、通常、曲線状の上端３４（図３）を含む。
【００１４】
図４は、本発明の別の実施例に従う潜水ヘルメット泡反らせ板２６の一般的に鳥のような形状の後スカート部２５の平面図である。後スカート部２５は、概ね図４に描かれるように、呼吸用レギュレータ接続管用孔２９及び空気供給管用孔３１を備える。後スカート部２５は、ゴム、ネオプレン（登録商標）、シリコン、ウレタン、布及び／又はその他同種の物のようなフレキシブルな材料で作ることができる。後スカート部２５は、また、必要に応じて、高剛性な材料とフレキシブルな材料の組み合わせから作ることができる。一つの実施例として、後スカート部２５は比較的薄くかつ透明でフレキシブルな材料で作ることができる。後スカート部２５は、通常、前スカート部２４（図３）の上端３４の輪郭に沿った上端３５(図４）を有する。
【００１５】
本発明に従う潜水ヘルメット泡反らし板の製造は、前スカート部２４の上端３４（図３）に後スカート部２５の上端３５（図４）を取着すること及び前スカート部２４に重りを取り付けることを含む。上端３４、３５の取り付けは、接着剤でつけること、縫うこと、一体成形すること及び／又はその他同種のものを含む。上端３４、３５は、また、取り外しできるようにベルクロ（登録商標）片のようなものによって取り付けることができる。取着した上端３４、３５は、通常、折り目３３を形成し、それに沿って前スカート部２４は後スカート部２５と折りたたんだようになる。
【００１６】
本発明により製造され、潜水ヘルメット１０のビューイングレンズの下に取り付けられた泡反らし板３６は、概ね図５〜６に示されるように描かれる。泡反らし板３６は呼吸用レギュレータ取付管１４と空気供給管１６（図１〜２）を呼吸用レギュレータ部品１２（図１）から取り外し、それぞれ、取り外された呼吸用レギュレータ取付管１４と空気供給管１６（図１〜２）を後スカート部２５（図４）の呼吸用レギュレータ取付管孔２９と空気供給管孔３１に挿入し、呼吸用レギュレータ取付管１４と空気供給管１６（図１〜２）を呼吸用レギュレータ部品１２に再接続することによって取り付けられる。
【００１７】
取り付けられた泡反らし板（３６）は、部分的に排気ウィスカー２０（図１〜２）を取り囲み、ウィスカー２０（図５）から出る空気泡４０を捕らえる。特に、挿入された後スカート部（２５）は、潜水ヘルメット１０と排気ウィスカー２０の出口２２の間に防護壁を形成し、それは、概ね図５〜６に図示するように、ウィスカー２０から出る空気泡４０が潜水ヘルメット１０と接触するようになることを防止する。ダイバーが公知の潜水器具を使う際に等しく体験する泡ノイズは、このように除かれる。さらに、取着された前後両スカート部２４、２５の末端４２、４３、４４及び４５（図３〜４）は、サイドポケット４６及び４８を形成し、それぞれ、概ね図５〜６に示されるように、排出される空気泡４０をダイバーのビューイングレンズ３８とヘルメット１０から遠ざけて水面５０に向かわせる。方向を変えた空気泡は、様々な潜水活動の間ダイバーの視界を妨げない、という利点がある。取り付けられた泡反らし板３６は、また、概ね図６に描かれるように、勝手よく前スカート部２４の下に届く呼吸用レギュレータ調整ノブ１９（図２）だけでなくフレキシブルな前スカート部２４を通して、ダイバーにとってパージボタン１８（図１〜２）を利用しやすくしている、という利点がある。
【００１８】
当業者は、本発明の泡そらし装置は、フルフェイスマスク（FFM）、スキューバ（自給式水中呼吸装置）ダイビング装備及び／又は同種の物の使用に適用できると容易にわかるだろう。本発明の意図する目的及び範囲と異ならない限り、本発明の泡そらし装置は、他の方法で並びに／又は他の適切な部品及び／若しくは材料で組み立てることができる。上記の好適実施例は、本発明の一般原則の単なる実例である。発明の範囲に属する様々な構成の変更を採用することができる。このように、例の方法で、しかし限定されることなく、代わりとなる形状が、ここに説明したように利用されるだろう。従って、図及び説明は実例であって、それに限定されることを意味しない。
【００１９】
さらに、すべての用語は文脈に反しない範囲で可能な限り最も広い方法で解釈される。特に、「から構成される」及び「構成」という用語は、非排他的方法で要素、部分、又は段階を参照して解釈されるべきで、このことは、参照された要素、部分、又は段階は、存在し若しくは利用され、又は明確に参照されていない他の要素、部分、若しくは段階と結び付けられていることを示している。このように、実施例とその変化形が、添付の特許請求の範囲及びその均等の範囲にある限り、発明は、すべての実施例とその変化形を含むことを意図している。
【産業上の利用可能性】
【００２０】
本発明の泡そらし装置は、広範囲の産業上の利用可能性を有する。特に、本発明の一般原則に従って構成され、使用されたとき、泡そらし装置はフルフェイスマスク（FFM）、スキューバ（自給式水中呼吸装置）ダイビング装置及び／又は同種のものと使用することに適合する。本発明の泡そらし装置は、必要に応じ、他の方法で並びに／又は他の適切な部品及び／若しくは材料で組み立てることができる。
【図面の簡単な説明】
【００２１】
【図１】従来の潜水ヘルメットの側面図である。
【図２】図１の潜水ヘルメットの正面図である。
【図３】本発明の好適実施例に従った潜水ヘルメット泡反らせ板の前スカート部の平面図である。
【図４】本発明の別の好適実施例に従った潜水ヘルメット泡反らせ板の後スカート部の平面図である。
【図５】本発明に従って作られた泡反らせ板を装備した従来の潜水ヘルメットの側面図である。
【図６】本発明に従った図５の潜水ヘルメットと泡反らせ板との組み合わせの正面図である。
【図１】
2009508736.tif 000003
【図２】
2009508736.tif 000004
【図３】
2009508736.tif 000005
【図４】
2009508736.tif 000006
【図５】
2009508736.tif 000007
【図６】
2009508736.tif 000008
【国際調査報告】
2009508736.tif 000009